(57)【要約】【課題】ユーザやサービス提供者が端末の種類を意識せずに位置情報を連携することができる位置情報連携システム及び位置情報連携方法を提供すること。【解決手段】携帯電話１が、外部機器からトルカ用フォーマットのコンテンツデータを取得し、ＣＰサーバ７に対してコンテンツデータをカーナビ６に送信することを依頼し、ＣＰサーバ７が、依頼にしたがってトルカ用フォーマットのコンテンツデータをＰＯＩＸ用フォーマットのコンテンツデータに変換し、トルカ用フォーマット及びＰＯＩＸ用フォーマットのコンテンツデータをカーナビ６に送信し、カーナビ６において、ＰＯＩＸ用フォーマットのコンテンツデータを表示する。【選択図】図１
2007218855.tif 000002
【特許請求の範囲】
【請求項１】
位置情報を含むコンテンツデータを格納する格納手段、前記コンテンツデータを非接触カード機能用フォーマット又は位置情報交換用フォーマットに変換する変換手段、並びに前記非接触カード機能用フォーマット及び位置情報交換用フォーマットのコンテンツデータを送信する送信手段を有するコンテンツプロバイダ装置と、
前記非接触カード機能用フォーマット及び位置情報交換用フォーマットのコンテンツデータを受信する受信手段、並びに前記非接触カード機能用フォーマットのコンテンツデータを表示する表示手段を有する移動体端末装置と、
前記非接触カード機能用フォーマット及び位置情報交換用フォーマットのコンテンツデータを受信する受信手段、並びに前記位置情報交換用フォーマットのコンテンツデータを表示する表示手段を有するナビゲーション端末装置と、
を具備することを特徴とする位置情報連携システム。
【請求項２】
前記変換手段は、非接触カード機能用フォーマットのコンテンツデータを位置情報交換用フォーマットのコンテンツデータに変換すると共に、位置情報交換用フォーマットのコンテンツデータを非接触カード機能用フォーマットのコンテンツデータに変換することを特徴とする請求項１記載の位置情報連携システム。
【請求項３】
前記移動体端末装置は、外部機器との間で非接触通信を行う非接触通信手段を有することを特徴とする請求項１又は請求項２記載の位置情報連携システム。
【請求項４】
前記非接触カード機能用フォーマット及び位置情報交換用フォーマットのコンテンツデータは、電子メールに添付されて送受信されることを特徴とする請求項１から請求項３のいずれかに記載の位置情報連携システム。
【請求項５】
コンテンツプロバイダ装置が、パーソナルコンピュータから位置情報交換用フォーマットのコンテンツデータを取得する工程と、前記コンテンツプロバイダ装置において、前記位置情報変換用フォーマットのコンテンツデータを非接触カード機能用フォーマットのコンテンツデータに変換する工程と、前記コンテンツプロバイダ装置が、前記非接触カード機能用フォーマット及び位置情報交換用フォーマットのコンテンツデータを移動体端末装置及び／又はナビゲーション端末装置に送信する送信工程と、前記移動体端末装置において、前記非接触カード機能用フォーマットのコンテンツデータを表示し、及び／又は、前記ナビゲーション端末装置において、前記位置情報交換用フォーマットのコンテンツデータを表示する工程と、を具備することを特徴とする位置情報連携方法。
【請求項６】
移動体端末装置が、外部機器から非接触カード機能用フォーマットのコンテンツデータを取得する工程と、前記移動体端末装置が、コンテンツプロバイダ装置に対して前記コンテンツデータをナビゲーション端末装置に送信することを依頼する工程と、前記コンテンツプロバイダ装置は、前記依頼にしたがって前記非接触カード機能用フォーマットのコンテンツデータを位置情報変換用フォーマットのコンテンツデータに変換する工程と、前記コンテンツプロバイダ装置が、前記非接触カード機能用フォーマット及び位置情報交換用フォーマットのコンテンツデータをナビゲーション端末装置に送信する送信工程と、前記ナビゲーション端末装置において、前記位置情報交換用フォーマットのコンテンツデータを表示する工程と、を具備することを特徴とする位置情報連携方法。
【請求項７】
前記非接触カード機能用フォーマット及び位置情報交換用フォーマットのコンテンツデータは、電子メールに添付されて送受信されることを特徴とする請求項５又は請求項６記載の位置情報連携方法。
【発明の詳細な説明】
【技術分野】
【０００１】
本発明は、位置情報連携システム及び位置情報連携方法に関し、特に、携帯端末及びナビゲーション端末装置の間で位置情報を連携することができる位置情報連携システム及び位置情報連携方法に関する。
【背景技術】
【０００２】
地図などの位置情報を表示する車載端末装置であるナビゲーション端末装置は、近年通信機能を備えており、位置情報を管理するサービス提供者のサーバと通信することにより、種々の位置情報を取得できるようになってきている。例えば、特許文献１には、無線通信端末がサーバ装置と通信して位置情報などを取得し、取得した位置情報を、通信インタフェースを介してナビゲーション装置に送信することが記載されています。
【特許文献１】特開２００５−１３４３５０号公報
【発明の開示】
【発明が解決しようとする課題】
【０００３】
しかしながら、このようなシステムにおいては、無線通信端末がサービス提供者のサーバから位置情報を取得し、この位置情報を、通信インタフェースを介してナビゲーション装置に送信する構成であり、無線通信端末をナビゲーション装置に接続する必要がある。このため、サービス提供者のサーバから位置情報を取得する際には、無線通信端末が必要となってしまう。したがって、ナビゲーション装置に位置情報を送るためには、必要となる端末が決まってしまい、ユーザが位置情報を取得する際の自由度が低い。また、種々の端末間で位置情報を連携することができない。
【０００４】
本発明はかかる点に鑑みてなされたものであり、ユーザやサービス提供者が端末装置の種類を意識せずに位置情報を連携することができる位置情報連携システム及び位置情報連携方法を提供することを目的とする。
【課題を解決するための手段】
【０００５】
本発明の位置情報連携システムは、位置情報を含むコンテンツデータを格納する格納手段、前記コンテンツデータを非接触カード機能用フォーマット又は位置情報交換用フォーマットに変換する変換手段、並びに前記非接触カード機能用フォーマット及び位置情報交換用フォーマットのコンテンツデータを送信する送信手段を有するコンテンツプロバイダ装置と、前記非接触カード機能用フォーマット及び位置情報交換用フォーマットのコンテンツデータを受信する受信手段、並びに前記非接触カード機能用フォーマットのコンテンツデータを表示する表示手段を有する移動体端末装置と、前記非接触カード機能用フォーマット及び位置情報交換用フォーマットのコンテンツデータを受信する受信手段、並びに前記位置情報交換用フォーマットのコンテンツデータを表示する表示手段を有するナビゲーション端末装置と、を具備することを特徴とする。
【０００６】
この構成によれば、携帯電話及びカーナビの異なる端末装置に同じメールで位置情報を送信することができるので、ユーザやサービス提供者が端末装置の種類を意識せずに位置情報を連携することができる。
【０００７】
本発明の位置情報連携システムにおいては、前記変換手段は、非接触カード機能用フォーマットのコンテンツデータを位置情報交換用フォーマットのコンテンツデータに変換すると共に、位置情報交換用フォーマットのコンテンツデータを非接触カード機能用フォーマットのコンテンツデータに変換することが好ましい。
【０００８】
本発明の位置情報連携システムにおいては、前記移動体端末装置は、外部機器との間で非接触通信を行う非接触通信手段を有することが好ましい。
【０００９】
本発明の位置情報連携システムにおいては、前記非接触カード機能用フォーマット及び位置情報交換用フォーマットのコンテンツデータは、電子メールに添付されて送受信されることが好ましい。
【００１０】
本発明の位置情報連携方法は、コンテンツプロバイダ装置が、パーソナルコンピュータから位置情報交換用フォーマットのコンテンツデータを取得する工程と、前記コンテンツプロバイダ装置において、前記位置情報変換用フォーマットのコンテンツデータを非接触カード機能用フォーマットのコンテンツデータに変換する工程と、前記コンテンツプロバイダ装置が、前記非接触カード機能用フォーマット及び位置情報交換用フォーマットのコンテンツデータを移動体端末装置及び／又はナビゲーション端末装置に送信する送信工程と、前記移動体端末装置において、前記非接触カード機能用フォーマットのコンテンツデータを表示し、及び／又は、前記ナビゲーション端末装置において、前記位置情報交換用フォーマットのコンテンツデータを表示する工程と、を具備することを特徴とする。
【００１１】
この方法によれば、コンテンツプロバイダのサイトから携帯電話及びカーナビの異なる端末装置に同じメールで位置情報を送信することができる。これにより、ユーザやサービス提供者が端末装置の種類を意識せずに位置情報を連携することができる。
【００１２】
本発明の位置情報連携方法は、移動体端末装置が、外部機器から非接触カード機能用フォーマットのコンテンツデータを取得する工程と、前記移動体端末装置が、コンテンツプロバイダ装置に対して前記コンテンツデータをナビゲーション端末装置に送信することを依頼する工程と、前記コンテンツプロバイダ装置は、前記依頼にしたがって前記非接触カード機能用フォーマットのコンテンツデータを位置情報変換用フォーマットのコンテンツデータに変換する工程と、前記コンテンツプロバイダ装置が、前記非接触カード機能用フォーマット及び位置情報交換用フォーマットのコンテンツデータをナビゲーション端末装置に送信する送信工程と、前記ナビゲーション端末装置において、前記位置情報交換用フォーマットのコンテンツデータを表示する工程と、を具備することを特徴とする。
【００１３】
この方法によれば、非接触通信で取得したコンテンツデータに基づいてカーナビに位置情報を送信して、目的地設定を行うことができる。これにより、ユーザやサービス提供者が端末装置の種類を意識せずに位置情報を連携することができる。
【００１４】
本発明の位置情報連携方法においては、前記非接触カード機能用フォーマット及び位置情報交換用フォーマットのコンテンツデータは、電子メールに添付されて送受信されることが好ましい。
【発明の効果】
【００１５】
本発明の位置情報連携システムによれば、位置情報を含むコンテンツデータを格納する格納手段、前記コンテンツデータを非接触カード機能用フォーマット又は位置情報交換用フォーマットに変換する変換手段、並びに前記非接触カード機能用フォーマット及び位置情報交換用フォーマットのコンテンツデータを送信する送信手段を有するコンテンツプロバイダ装置と、前記非接触カード機能用フォーマット及び位置情報交換用フォーマットのコンテンツデータを受信する受信手段、並びに前記非接触カード機能用フォーマットのコンテンツデータを表示する表示手段を有する移動体端末装置と、前記非接触カード機能用フォーマット及び位置情報交換用フォーマットのコンテンツデータを受信する受信手段、並びに前記位置情報交換用フォーマットのコンテンツデータを表示する表示手段を有するナビゲーション端末装置と、を具備するので、ユーザやサービス提供者が端末の種類を意識せずに位置情報を連携することができる。
【発明を実施するための最良の形態】
【００１６】
以下、本発明の実施の形態について、添付図面を参照して詳細に説明する。
（実施の形態１）
本実施の形態においては、移動体端末装置が、外部機器から非接触カード機能用フォーマットのコンテンツデータを取得し、コンテンツプロバイダ装置に対して前記コンテンツデータをナビゲーション端末装置に送信することを依頼し、コンテンツプロバイダ装置が、依頼にしたがって非接触カード機能用フォーマットのコンテンツデータを位置情報変換用フォーマットのコンテンツデータに変換し、非接触カード機能用フォーマット及び位置情報交換用フォーマットのコンテンツデータをナビゲーション端末装置に送信し、ナビゲーション端末装置において、位置情報交換用フォーマットのコンテンツデータを表示する場合について説明する。なお、本実施の形態においては、コンテンツデータは、簡易データと、この簡易データに関連付けられた本体データとを含む。
【００１７】
図１は、本発明の実施の形態に係る非接触カード機能用コンテンツ配信システムの概略構成を示す図である。図１に示すシステムは、移動体端末装置である携帯電話１と、この携帯電話１と移動通信網２を介して接続された移動通信センター３と、移動通信センター３とインターネット４のようなネットワークを介して接続されたパーソナルコンピュータ（ＰＣ）５、車載端末装置であるナビゲーション端末装置（カーナビ）６、及びコンテンツプロバイダ装置であるコンテンツプロバイダサーバ（ＣＰサーバ）７とから主に構成されている。
【００１８】
携帯電話１は、非接触カード機能を実行できる機能を備えており、外部機器のリーダライタ（Ｒ／Ｗ）８や別の携帯電話８’との間で非接触通信により情報の送受信を行うことができる。また、携帯電話１は、オペレーティングシステム（移動機ＯＳ）を有しており、移動機ＯＳ上でブラウザ機能、ビューワ機能、ＪＡＭ（Java  Application  Manager）その他の機能が動作する。
【００１９】
移動通信網２は、携帯電話１と移動通信センター３との間のネットワークである。この移動通信網２には、通常の移動通信網に加えて移動パケット通信網も含まれる。移動通信センター３は、例えばｉモード（登録商標）サーバなどを有すると共に、移動通信網２とインターネット４とを結ぶゲートウェイ機能を担っており、具体的には、情報配信機能、メール送受信機能、メール蓄積機能、契約顧客管理機能、情報提供者（Information Provider）管理機能、及び情報料課金機能を有する。ネットワークには、インターネット４をはじめその他のネットワーク、例えばＬＡＮやＷＡＮなども含まれる。
【００２０】
このような構成の位置情報連携システムにおいては、コンテンツデータに含まれる位置情報を携帯電話１、ＰＣ５、カーナビ６、外部機器で連携することができるので、次のようなことを実現できる。
１）ＰＣ５において位置情報を調べて、非接触カード機能用フォーマットの位置情報をＰＣ５から携帯電話１に送って、携帯電話１で位置情報を表示する。
２）ＰＣ５において位置情報を調べて、位置情報交換用フォーマットの位置情報をＰＣ５からカーナビ６に送って、カーナビ６で位置情報を表示する。
３）店舗や他の携帯電話などから携帯電話１が位置情報を取得し、携帯電話１で位置情報を表示する。
４）携帯電話１において位置情報を調べて、非接触カード機能用フォーマットの位置情報をＣＰサーバ７に送り、ＣＰサーバ７で非接触カード機能用フォーマットの位置情報を位置情報交換用フォーマットの位置情報に変換して、位置情報交換用フォーマットの位置情報をＰＣ５からカーナビ６に送って、カーナビ６で位置情報を表示する。
【００２１】
図２は、図１に示す位置情報連携システムにおける携帯電話の概略構成を示すブロック図である。なお、図２に示す構成は、本発明を説明するために簡略化したものであり、通常の携帯電話に搭載される構成要素は備えているものとする。なお、ここでは、非接触カード機能用フォーマットのコンテンツデータがトルカフォーマットのコンテンツデータ（コンテンツ簡易（スニップ）データ及びコンテンツ本体データを含む）である場合について説明する。
【００２２】
携帯電話１は、装置全体を制御する制御部１１と、無線通信の制御を行う通信制御部１２と、種々の情報やデータを入力する入力部１３と、種々の情報やデータを表示する表示部１４と、トルカデータや位置情報などのデータを格納する格納部１５と、アプリケーションを動作させるアプリ制御部１６と、トルカデータを管理するトルカマネージャ１７と、外部機器のＲ／Ｗ８との間で非接触通信を行う非接触カード部１８と、から主に構成されている。非接触カード部１８は、トルカデータやその他の情報をバッファリングするバッファ、及び非接触カード機能を実現させるためのコントローラを含む非接触ＩＣ１８１と、Ｒ／Ｗ８との間で非接触通信を行うＲ／Ｗ１８２とを含む。
【００２３】
制御部１１は、通信制御部１２を介して移動通信のインターネット接続サービス（例えば、ｉモード（登録商標））のメール（ｉモードメール）を受信する際に、アプリ制御部１６に指示する。また、制御部１１は、ｉモードメールを受信したときに、ｉモードメールに添付されたトルカ用フォーマットのトルカデータ（例えば、住所情報など）を表示するように表示部１４に指示する。また、制御部１１は、表示部１４に表示されたトルカデータに含まれるリンク情報（例えば、ＵＲＬ）をクリックしたときに、地図などの位置情報を取得するようにアプリ制御部１６に指示する。
【００２４】
通信制御部１２は、他の携帯電話や別の通信機器との間の無線通信の制御などを行う。例えば、通信制御部１２は、無線信号を受信すると共に、他の携帯電話や別の通信機器に送信する信号を送信する。また、通信制御部１２は、ブラウザ機能やメーラ機能を備えている。したがって、通信制御部１２は、トルカデータに含まれる、トルカ本体データを取得するためにアクセスするＵＲＬに接続してトルカ本体データをダウンロードする。また、通信制御部１２は、ブラウザ機能により、Ｗｅｂ上からトルカ本体データをダウンロードすることができる。また、通信制御部１２は、トルカ本体データに含まれるＵＲＬからＷｅｂにリンクする機能、トルカ本体データに含まれる電話番号から発信する機能、トルカ本体データに含まれるメールアドレスからメール送信する機能を備えている。さらに、Ｊａｖａ（登録商標）アプリケーションやブラウザは、通信に必要なコマンド、例えばＡＰＩ（Application Program Interface）を用いて通信制御部１２を介して通信を行い、アプリケーション内部にコンテンツデータそのものが包含されている場合は、そのコンテンツデータを読み取って他のアプリケーションに引き継いだり、ＵＲＬが記載されている場合はそのＵＲＬに基づいて所定のサイトにアクセスしてトルカデータを取得することも可能である。なお、通信制御部１２は、光通信、赤外線通信、Bluetooth通信などにも対応できる構成を備えていても良い。
【００２５】
表示部１４は、ビューワ機能を備えており、取得したトルカデータを表示する。また、表示部１４は、トルカデータを所定の表示形式にフォーマットして表示させる。トルカスニップデータにおいては、場所やタイトルなどの情報や、タイトルに関する簡単な説明が表記される。この簡単な説明には、トルカ本体データを取得するためにアクセスするＵＲＬなどが含まれる。また、トルカ本体データにおいても、場所やタイトルなどの情報や、タイトルに関する詳細な説明が表記される。この詳細な説明には、関連リンクＵＲＬ、電話番号、メールアドレスなどが含まれる。
【００２６】
アプリ制御部１６は、入力部１３からの入力により、あるいは、通信制御部１２を介して受信したコマンド信号に基づいて制御部１１の指示により、通信アプリケーションを起動する。
【００２７】
トルカマネージャ１７は、非接触カード部１８が非接触通信を行う際において、Ｒ／Ｗ８や別の携帯電話８’が特定のトルカスニップデータを有するかどうかを要求してきたときに、特定のトルカスニップデータの有無を確認し、その確認情報をＲ／Ｗ８や別の携帯電話８’に通信する制御を行う。トルカマネージャ１７は、トルカスニップデータ毎に、トルカ本体データを取得する際にアクセスするＵＲＬが対応づけられているテーブルを有している。したがって、トルカマネージャ１７は、Ｒ／Ｗ８や別の携帯電話８’が特定のトルカスニップデータを有するかどうかを要求してきたとき、前記テーブルを参照して特定のトルカスニップデータがあるかどうかを確認し、特定のトルカスニップデータがあれば、格納部１５に格納しているトルカスニップデータを抽出してＲ／Ｗ８や別の携帯電話８’に送る制御を行う。また、トルカマネージャ１７は、Ｒ／Ｗ８や別の携帯電話８’から非接触通信によりトルカスニップデータを取得したときには、トルカスニップデータを格納部１５に格納する。
【００２８】
非接触カード部１８は、非接触カード機能により、例えばトルカスニップデータの追加などを行う。非接触カード機能としては、例えばフェリカ（FeliCa：登録商標）などを挙げることができる。非接触カード部１８のＲ／Ｗ１８２は、携帯電話１をＲ／Ｗ８にかざしたときに、Ｒ／Ｗ８からトルカデータ、コマンド情報を取得して所定の処理部に受け渡す。制御部１１は、ヘッダ識別機能を有しており、Ｒ／Ｗ８から取得したデータに付与されたヘッダを識別して所定の処理部に送る。例えば、Ｒ／Ｗ８から取得したデータがトルカスニップデータであれば、トルカマネージャ１７に送り、Ｒ／Ｗ８から取得したデータがアプリケーション起動情報であれば、ＪＡＭ（Java  Application  Manager、図示せず）に送る。
【００２９】
ここで、非接触ＩＣを含む非接触カードを用いた非接触通信とは、赤外線通信や二次元バーコードを利用したデータの送受信などの近距離通信を含む通信方法を意味する。また、非接触ＩＣを含む非接触カードとは、外部機器との間でデータ送受信を簡易に行うことのできる携帯電話に付随するモジュールである。
【００３０】
図３は、図１に示す位置情報連携システムにおける移動通信センターの概略構成を示すブロック図である。移動通信センター３は、装置全体を制御する制御部３１と、携帯電話１、ＰＣ５、カーナビ６及びＣＰサーバ７との間でメールの送受信やデータ通信を行う通信制御部３２と、移動通信のインターネット接続サービス（ここでは、ｉモード（登録商標）である場合について説明する）のメール（ここでは、ｉモードメール）のメールサーバ３３と、アプリケーションを動作させるアプリ制御部３４とから主に構成されている。なお、移動通信のインターネット接続サービスは、ｉモードに限定されず、他の移動通信のインターネット接続サービスを用いても良い。
【００３１】
制御部３１は、ＣＰサーバ７からの電子メールや携帯電話１からのｉモードメールを中継する際に、ＰＣ５やカーナビ６に対して通常の電子メールとして送信するように通信制御部３２に指示すると共に、携帯電話１に対してｉモードメールとして送信するように通信制御部３２に指示する。
【００３２】
通信制御部３２は、携帯電話や別の通信機器との間の無線通信の制御などを行う。例えば、通信制御部３２は、無線信号を受信すると共に、携帯電話や別の通信機器に送信する信号を送信する。メールサーバ３３は、ユーザ宛の電子メールをユーザ毎に管理して格納する。また、アプリ制御部３４は、通信制御部３２を介して受信したコマンド信号に基づいて制御部３１の指示により、通信アプリケーションを起動する。
【００３３】
図４は、図１に示す位置情報連携システムにおけるカーナビの概略構成を示すブロック図である。カーナビ６は、装置全体を制御する制御部６１と、携帯電話１、移動通信センター３、ＰＣ５及びＣＰサーバ７との間でメールの送受信やデータ通信を行う通信制御部６２と、位置情報交換用フォーマットのコンテンツデータ（例えば、緯度経度情報など）を用いて目的地などの情報の設定を行う情報設定部６３と、情報設定された内容を表示する表示部６４と、位置情報交換用フォーマットのコンテンツデータなどを格納する情報サーバ６５とから主に構成されている。
【００３４】
制御部６１は、ＣＰサーバ７からの電子メールを受信したときに、電子メールに添付された位置情報交換用フォーマットのコンテンツデータを表示するように表示部６４に指示する。また、制御部６１は、ナビゲーションソフトを格納している。通信制御部６２は、別の通信機器との間の無線通信の制御などを行う。例えば、通信制御部６２は、無線信号を受信すると共に、別の通信機器に送信する信号を送信する。また、通信制御部６２は、ブラウザ機能やメーラ機能を備えている。
【００３５】
情報設定部６３は、位置情報交換用フォーマットのコンテンツデータ（例えば、緯度・経度情報）をナビゲーションソフトに引き継ぐ。そして、ナビゲーションソフトにより目的地設定などが行われる。
【００３６】
図５は、図１に示す位置情報連携システムにおけるＣＰサーバの概略構成を示すブロック図である。ＣＰサーバ７は、装置全体を制御する制御部７１と、携帯電話１、移動通信センター３、ＰＣ５及びカーナビ６との間でメールの送受信やデータ通信を行う通信制御部７２と、非接触カード機能用フォーマット（トルカ用フォーマット）のコンテンツデータ（例えば、住所情報など）を位置情報交換用フォーマットのコンテンツデータ（例えば、緯度経度情報など）に変換する変換手段であるファイル作成部７３と、アプリケーションを動作させるアプリ制御部７４と、電子メールのメールサーバ７５と、位置情報交換用フォーマットのコンテンツデータや非接触カード機能用フォーマットのコンテンツデータ、地図情報などを格納する情報サーバ７６とから主に構成されている。
【００３７】
制御部７１は、ＰＣ５から位置情報交換用フォーマットのコンテンツデータを受信したときに、位置情報交換用フォーマットのコンテンツデータを電子メールに添付するためのファイルを作成するようにファイル作成部７３に指示する。また、制御部７１は、携帯電話１に電子メールを送信する際にアプリ制御部１６に指示する。通信制御部７２は、別の通信機器との間の無線通信の制御などを行う。例えば、通信制御部７２は、無線信号を受信すると共に、別の通信機器に送信する信号を送信する。
【００３８】
ファイル作成部７３は、非接触カード機能用フォーマット（トルカ用フォーマット）のコンテンツデータ（例えば、住所情報など）を位置情報交換用フォーマットのコンテンツデータ（例えば、緯度経度情報など）に変換すると共に、位置情報交換用フォーマットのコンテンツデータを非接触カード機能用フォーマットのコンテンツデータに変換する。また、ファイル作成部７３は、図８に示すように、電子メールに添付するためのファイルを作成する。すなわち、ファイル作成部７３は、コンテンツデータについて、非接触カード機能用フォーマット（トルカ用フォーマット）のファイルと、位置情報交換用フォーマットのファイルを準備する。なお、位置情報交換用フォーマットとしては、例えばＰＯＩＸ（Point of Interest Exchange Language）フォーマットを挙げることができる。アプリ制御部７４は、通信制御部７２を介して受信したコマンド信号に基づいて、あるいは、制御部７１の指示により、通信アプリケーションを起動する。
【００３９】
次に、本発明の実施の形態に係る位置情報連携方法について図６を用いて説明する。また、図６は、本実施の形態に係る位置情報連携方法の手順を説明するための図である。
【００４０】
まず、ユーザがＰＣ５で地図を検索して位置情報を得る（ＳＴ１１）。具体的には、サービス提供者であるコンテンツプロバイダのサイトにユーザがアクセスし、ＰＣ５の画面上で所望の場所（目的地、店舗など）を特定する。この場合、コンテンツプロバイダのサイトには、ＰＯＩ登録機能を追加しておく。これにより、ユーザが位置を特定したときに、図７（ａ）に示す表示でＰＯＩ登録を行うことができる。そして、登録されたＰＯＩをＣＰサーバ７に送信する（ＳＴ１２）。具体的には、図７（ｂ）に示す画面上で「ＰＯＩを送る」部分をクリックすると、図７（ｃ）に示す画面が表示され、携帯電話１及びカーナビ６のメールアドレスを特定して送信ボタンを押す。これにより、以下のような手順で特定したメールアドレスにＶＭＣメールが送信される。
【００４１】
ＣＰサーバ７では、ＰＣ５から送られたＰＯＩを、通信制御部７２を介して受信すると（ＳＴ１３）、制御部７２は、ファイル作成部７３に対して、ＰＯＩをトルカ用フォーマットに変換するように指示し、ファイル作成部７３は、ＰＯＩＸ形式の位置情報ファイルとトルカ形式の位置情報ファイルとを作成する（ＳＴ１４）。これらのファイル及びＰＯＩは、情報サーバ７６に格納される。次いで、ＣＰサーバ７においては、制御部７１が、通信制御部７２に対して、ＰＯＩＸ形式の位置情報ファイル及びトルカ形式の位置情報ファイルを添付して携帯電話１及びカーナビ６にＶＭＣメールを送信する指示を行う。通信制御部７２は、通信アプリケーションを起動して、両形式の位置情報ファイルを本文に添付して図８に示すようなＶＭＣ（Vehicle Mobile Convergence）メールを作成し、通信制御部７２を介してＶＭＣメールを携帯電話１及びカーナビ６に送信する（ＳＴ１５）。
【００４２】
携帯電話１に対して送信されたＶＭＣメールは、まず移動通信センター３に送られる。移動通信センター３は、通信制御部３２を介してＶＭＣメールを受信し、メールサーバ３３の宛先ユーザのメールボックスに格納される。そして、制御部３１は、ＶＭＣメールをｉモードメールとして宛先ユーザに送信する（ＳＴ１６）。ｉモードメールの送受信については、携帯電話１のアプリ制御部１６と移動通信センター３のアプリ制御部３４との間で通信アプリケーションが起動してｉモードメールの送受信を行う。
【００４３】
携帯電話１においては、通信制御部１２を介してＶＭＣメールを受信すると（ＳＴ１７）、制御部１１がＶＭＣメールに添付されたトルカ形式の位置情報ファイルを認識し、この位置情報ファイルを格納部１５に格納する。そして、制御部１１は、表示部１４に対してトルカ形式の位置情報（例えば住所タグ）を表示するように指示し、表示部１４は、図９（ａ）に示すように、トルカ形式の位置情報を表示画面に表示する（ＳＴ１８）。ユーザが表示画面上でアプリケーション（例えばｉアプリ（登録商標））を起動するようにクリックすると（図９（ｂ），（ｃ））、制御部１１がアプリ制御部１６にアプリケーションを起動するように指示し、アプリ制御部１６がアプリケーションを起動する。この場合、ＣＰサーバ７におけるアプリ制御部７４が携帯電話１から送られたコマンドにしたがってアプリケーションを起動する。アプリケーションが起動した状態で、携帯電話１はＣＰサーバ７から地図情報を通信制御部１２を介して取得する（ＳＴ１９）。地図情報を取得すると、制御部１１が地図情報を格納部１５に格納すると共に、表示部１４に対して地図情報を表示するように指示する。表示部１４は、図９（ｄ）に示すように、地図情報を表示画面上に表示する（ＳＴ２０）。
【００４４】
一方、カーナビ６においては、通信制御部６２を介してＶＭＣメールを受信すると（ＳＴ２１）、制御部６１がＶＭＣメールに添付されたＰＯＩＸ形式の位置情報ファイルを認識し、この位置情報ファイルを情報サーバ６５に格納する。そして、制御部６１は、表示部６４に対してＰＯＩＸ形式の位置情報（例えば店舗情報など）を表示するように指示し、表示部６４は、ＰＯＩＸ形式の位置情報をナビゲーションソフト上で自動的に展開して表示画面に表示する（ＳＴ２２）。
【００４５】
このように本実施の形態に係る位置情報連携システムによれば、コンテンツプロバイダのサイトから携帯電話及びカーナビの異なる端末装置に同じＶＭＣメールで位置情報を送信することができる。これにより、ユーザやサービス提供者が端末装置の種類を意識せずに位置情報を連携することができる。
【００４６】
（実施の形態２）
本実施の形態においては、移動体端末装置が、外部機器から非接触カード機能用フォーマットのコンテンツデータを取得し、コンテンツプロバイダ装置に対してコンテンツデータをナビゲーション端末装置に送信することを依頼し、コンテンツプロバイダ装置が、依頼にしたがって非接触カード機能用フォーマットのコンテンツデータを位置情報変換用フォーマットのコンテンツデータに変換し、非接触カード機能用フォーマット及び位置情報交換用フォーマットのコンテンツデータをナビゲーション端末装置に送信し、ナビゲーション端末装置において、位置情報交換用フォーマットのコンテンツデータを表示する場合について説明する。
【００４７】
図１０は、本実施の形態に係る位置情報連携方法の手順を説明するための図である。まず、ユーザが外部機器のＲ／Ｗ８又は別の携帯電話８’からトルカデータを取得する（ＳＴ３１）。外部機器のＲ／Ｗ８又は別の携帯電話８’のＲ／Ｗは、所定の搬送波の情報信号を常時報知している。このＲ／Ｗに携帯電話１の非接触ＩＣ１８１を近づけると、非接触ＩＣ１８１のコントローラが情報信号を検出する。情報信号は電磁波であるので、この電磁波により非接触ＩＣ１８１が起動する。そして、非接触ＩＣ１８１のメモリにトルカデータが格納される。このトルカデータは格納部１５に格納される。
【００４８】
そして、制御部１１は、表示部１４に対してトルカデータを表示するように指示し、表示部１４は、図９（ａ）に示すように、トルカデータを表示画面に表示する（ＳＴ３２）。ユーザが表示画面上でアプリケーション（例えばｉアプリ（登録商標））を起動するようにクリックすると（図９（ｂ），（ｃ））、制御部１１がアプリ制御部１６にアプリケーションを起動するように指示し、アプリ制御部１６がアプリケーションを起動する。この場合、ＣＰサーバ７におけるアプリ制御部７４が携帯電話１から送られたコマンドにしたがってアプリケーションを起動する。アプリケーションが起動した状態で、携帯電話１はＣＰサーバ７から地図情報を通信制御部１２を介して取得する（ＳＴ３３）。地図情報を取得すると、制御部１１が地図情報を格納部１５に格納すると共に、表示部１４に対して地図情報を表示するように指示する。表示部１４は、図９（ｄ）に示すように、地図情報を表示画面上に表示する（ＳＴ３４）。
【００４９】
次いで、ユーザが表示画面上でトルカデータをカーナビ６に送信するように入力すると、制御部１１は、通信制御部１２に対して、図１１（ａ）に示すようなトルカデータ（例えば住所タグなど）をカーナビ６に送信する送信依頼をＣＰサーバ７に送るように指示する。通信制御部１２は、ＣＰサーバ７に対して、ｉモードメールにより、トルカデータをカーナビ６に送信する送信依頼を行う（ＳＴ３５）。携帯電話１から送信された送信依頼のｉモードメールは、移動通信センター３に送られる。移動通信センター３は、通信制御部３２を介してｉモードメールを受信し、ＣＰサーバ７に送信依頼を送信する（ＳＴ３６）。
【００５０】
ＣＰサーバ７では、移動通信センター３から送られた送信依頼を、通信制御部７２を介して受信すると、制御部７２は、ファイル作成部７３に対して、トルカデータ（例えば住所タグ）をＰＯＩＸ用フォーマットに変換するように指示し、ファイル作成部７３は、トルカデータを図１１（ｂ）に示すようなＰＯＩＸ形式の位置情報ファイルに変換し、ＰＯＩＸ形式の位置情報ファイルとトルカ形式の位置情報ファイルとを作成する（ＳＴ３７）。これらのファイル及びトルカデータは、情報サーバ７６に格納される。次いで、ＣＰサーバ７においては、制御部７１が、通信制御部７２に対して、ＰＯＩＸ形式の位置情報ファイル及びトルカ形式の位置情報ファイルを添付してカーナビ６にＶＭＣメールを送信する指示を行う。通信制御部７２は、両形式の位置情報ファイルを本文に添付して図８に示すようなＶＭＣメールを作成し、通信制御部７２を介してＶＭＣメールをカーナビ６に送信する（ＳＴ３８）。
【００５１】
カーナビ６においては、通信制御部６２を介してＶＭＣメールを受信すると（ＳＴ３９）、制御部６１がＶＭＣメールに添付されたＰＯＩＸ形式の位置情報ファイルを認識し、この位置情報ファイルを情報サーバ６５に格納する。そして、制御部６１は、表示部６４に対してＰＯＩＸ形式の位置情報（例えば店舗情報など）を表示するように指示し、表示部６４は、ＰＯＩＸ形式の位置情報をナビゲーションソフト上で自動的に展開して表示画面に表示する（ＳＴ４０）。これにより、トルカデータに基づいてカーナビ６の目的地設定を行うことができる。また、図１１（ｃ）に示すように、カーナビ６の表示画面上に店舗アイコンを表示させておき、その店舗アイコンをクリックすると、トルカデータの特典情報（例えば店舗ポイント、店舗クーポン）が画面上に表示するように構成しても良い。
【００５２】
このように本実施の形態に係る位置情報連携システムによれば、非接触通信で取得したコンテンツデータに基づいてカーナビに位置情報を送信して、目的地設定を行うことができる。これにより、ユーザやサービス提供者が端末装置の種類を意識せずに位置情報を連携することができる。
【００５３】
本発明は上記実施の形態に限定されず、種々変更して実施することが可能である。例えば、本発明の範囲を逸脱しない限りにおいて処理手順、文字列や画面表示のレイアウトなどについて適宜変更して実施することが可能である。上記実施の形態においては、非接触カード機能用コンテンツがトルカコンテンツである場合について説明しているが、本発明は非接触カード機能用コンテンツがトルカコンテンツ以外の非接触カード機能用コンテンツである場合にも同様に適用することができる。その他、本発明の範囲を逸脱しないで適宜変更して実施することが可能である。
【図面の簡単な説明】
【００５４】
【図１】本発明の実施の形態に係る位置情報連携システムの概略構成を示す図である。
【図２】図１に示す位置情報連携システムにおける携帯電話の概略構成を示すブロック図である。
【図３】図１に示す位置情報連携システムにおける移動通信センターの概略構成を示すブロック図である。
【図４】図１に示す位置情報連携システムにおけるカーナビの概略構成を示すブロック図である。
【図５】図１に示す位置情報連携システムにおけるＣＰサーバの概略構成を示すブロック図である。
【図６】本発明の実施の形態１に係る位置情報連携方法を説明するための図である。
【図７】本発明の実施の形態に係る非接触カード機能用コンテンツ配信方法を説明するための図である。
【図８】ＰＯＩを送信する際の画面表示例を示す図である。
【図９】（ａ）〜（ｄ）は、トルカデータから地図情報を取得する際の画面表示例を示す図である。
【図１０】本発明の実施の形態２に係る位置情報連携方法を説明するための図である。
【図１１】（ａ）はトルカデータを示す図であり、（ｂ）はＰＯＩＸデータを示す図であり、（ｃ）はトルカデータを反映した位置情報の画面表示例を示す図である。
【符号の説明】
【００５５】
１  携帯電話
２  移動通信網
３  移動通信センター
４  インターネット
５  ＰＣ
６  カーナビ
７  ＣＰサーバ
８，１８２  Ｒ／Ｗ
１１，３１，６１，７１  制御部
１２，３２，６２，７２  通信制御部
１３  入力部
１４，６４  表示部
１５  格納部
１６，３４，７４  アプリ制御部
１７  トルカマネージャ
１８  非接触カード部
３３  メールサーバ
６３  情報設定部
６５，７６  情報サーバ
７３  ファイル作成部
１８１  非接触ＩＣ    
【図１】
2007218855.tif 000003
【図２】
2007218855.tif 000004
【図３】
2007218855.tif 000005
【図４】
2007218855.tif 000006
【図５】
2007218855.tif 000007
【図６】
2007218855.tif 000008
【図７】
2007218855.tif 000009
【図８】
2007218855.tif 000010
【図９】
2007218855.tif 000011
【図１０】
2007218855.tif 000012
【図１１】
2007218855.tif 000013